(57)【要約】【課題】建具に適用されるガラス外れ止め部材において、火災発生時のガラスの反りに起因する破損を効果的に防止することができる構成を提供すること。【解決手段】建具１は框体３０を構成する吊元側縦框３３、戸先側縦框３４、上框３１及び下框３２のそれぞれに固定されるガラス外れ止め部材４０を備え、ガラス外れ止め部材４０は、ガラス２５の端部に見込方向一側で対面する押さえ片４２と、押さえ片を保持し、見込方向に長く形成される締結孔４１ｃを通じてネジ（締結部材）４５によって吊元側縦框３３、戸先側縦框３４、上框３１又は下框３２に固定される保持金具（保持部）４１と、を有する。【選択図】図７
2019065553.tif 000002
【特許請求の範囲】
【請求項１】
樹脂製の框体及び前記框体の内側に納められるガラスを備える建具であって、
前記框体を構成する縦框及び横框のそれぞれに固定されるガラス外れ止め部材を備え、
前記ガラス外れ止め部材は、
前記ガラスの端部に見込方向一側で対面する押さえ片と、
前記押さえ片を保持し、見込方向に長く形成される締結孔を通じて締結部材によって前記縦框又は前記横框に固定される保持部と、を有する建具。
【請求項２】
前記縦框に固定される前記ガラス外れ止め部材と前記横框に固定される前記ガラス外れ止め部材が、見込方向で位置をずらして配置される請求項１に記載の建具。
【請求項３】
前記縦框及び前記横框のうち、その長手方向が長い方に固定される前記ガラス外れ止め部材の前記押さえ片と前記ガラスの隙間よりも、短い方に固定される前記ガラス外れ止め部材の前記押さえ片と前記ガラスの隙間の方が大きくなるように、前記保持部が前記縦框及び前記横框に固定される請求項２に記載の建具。
【請求項４】
樹脂製の框体及び前記框体の内側に納められるガラスを備える建具に適用されるガラス外れ止め部材であって、
前記ガラス外れ止め部材は、
前記ガラスの端部に見込方向一側で対面する押さえ片と、
前記押さえ片を保持し、見込方向に長く形成される締結孔を通じて締結部材によって前記框体に固定される保持部と、を有するガラス外れ止め部材。
【請求項５】
樹脂製の框体及び前記框体の内側に納められるガラスを備える建具であって、
前記框体を構成する縦框及び横框のそれぞれに固定されるガラス外れ止め部材を備え、
前記縦框に固定される前記ガラス外れ止め部材と、前記横框に固定される前記ガラス外れ止め部材と、が見込方向で位置をずらして配置される建具。
【発明の詳細な説明】
【技術分野】
【０００１】
本発明は、ガラス及びガラス外れ止め部材を備える建具に関する。
【背景技術】
【０００２】
従来、框体の内側に納められるガラスが外れないように、框体にガラス外れ止め部材を配置する建具が知られている。この種の建具を開示するものとして例えば特許文献１がある。
【０００３】
特許文献１には、合成樹脂製の窓枠又は窓框に複層ガラスを装着してなる複層ガラス窓の防火構造において、複層ガラスにおける少なくとも左右両辺部の外周端に金属製カバーを被着するとともに、複層ガラスの外周端が嵌合される、窓枠又は窓框における内周溝部に、耐熱性ガラス外れ止めを設けた複層ガラス窓の防火構造について記載されている。例えば、特許文献１の図１や図６には、室内側ガラス外れ止めと、この室内側ガラス外れ止めに係脱可能に組み付けられる室外側ガラス外れ止めとから構成される耐熱性ガラス外れ止めが示される。
【先行技術文献】
【特許文献】
【０００４】
【特許文献１】特開２０１２−１４０７８５号公報
【発明の概要】
【発明が解決しようとする課題】
【０００５】
樹脂製の框体に固定されるガラス外れ止め部材は、ガラスの脱落を防止できるものの、火災発生時に生じるガラスの反りや框体の溶融等によって応力が掛かり、ガラスのヒビや破損の原因となるおそれがあった。この点、特許文献１に記載されるガラス外れ止め部材の構成においても、火災発生時のガラスへの応力を和らげるという点で改善の余地があった。
【０００６】
本発明は、建具に適用されるガラス外れ止め部材において、火災発生時のガラスの反りに起因する破損を効果的に防止することができる構成を提供することを目的とする。
【課題を解決するための手段】
【０００７】
本発明は、樹脂製の框体（例えば、後述の框体３０）及び前記框体の内側に納められるガラス（例えば、後述のガラス２５）を備える建具（例えば、後述の建具１、ＦＩＸ窓２０１）であって、前記框体を構成する縦框（例えば、後述の吊元側縦框３３、戸先側縦框３４又は変形例の縦枠１３，１４）及び横框（例えば、後述の上框３１、下框３２又は変形例における上枠１１、下枠１２）のそれぞれに固定されるガラス外れ止め部材（例えば、後述のガラス外れ止め部材４０，２４０）を備え、前記ガラス外れ止め部材は、前記ガラスの端部に見込方向一側で対面する押さえ片（例えば、後述の押さえ片４２，２４２）と、前記押さえ片を保持し、見込方向に長く形成される締結孔（例えば、後述の締結孔４１ｃ，２４１ｃ）を通じて締結部材（例えば、後述のネジ４５）によって前記縦框又は前記横框に固定される保持部（例えば、後述の保持金具４１，２４１）と、を有する建具に関する。
【０００８】
前記縦框に固定される前記ガラス外れ止め部材（例えば、後述のガラス外れ止め部材４０ａ）と前記横框に固定される前記ガラス外れ止め部材（例えば、後述のガラス外れ止め部材４０ｂ）が、見込方向で位置をずらして配置されることが好ましい。
【０００９】
前記縦框及び前記横框のうち、その長手方向が長い方に固定される前記ガラス外れ止め部材の前記押さえ片と前記ガラスの隙間よりも、短い方に固定される前記ガラス外れ止め部材の前記押さえ片と前記ガラスの隙間の方が大きくなるように、前記保持部が前記縦框及び前記横框に固定されることが好ましい。
【００１０】
また、本発明は、樹脂製の框体（例えば、後述の框体３０）及び前記框体の内側に納められるガラス（例えば、後述のガラス２５）を備える建具（例えば、後述の建具１、ＦＩＸ窓２０１）に適用されるガラス外れ止め部材（例えば、後述のガラス外れ止め部材４０，２４０）であって、前記ガラス外れ止め部材は、前記ガラスの端部に見込方向一側で対面する押さえ片（例えば、後述の押さえ片４２，２４２）と、前記押さえ片を保持し、見込方向に長く形成される締結孔を通じて締結部材によって前記框体に固定される保持部（例えば、後述の保持金具４１，２４１）と、を有するガラス外れ止め部材に関する。
【００１１】
また、本発明は、樹脂製の框体（例えば、後述の框体３０）及び前記框体の内側に納められるガラス（例えば、後述のガラス２５）を備える建具（例えば、後述の建具１、ＦＩＸ窓２０１）であって、前記框体を構成する縦框及び横框のそれぞれに固定されるガラス外れ止め部材（例えば、後述のガラス外れ止め部材４０，２４０）を備え、前記縦框に固定される前記ガラス外れ止め部材と、前記横框に固定される前記ガラス外れ止め部材と、が見込方向で位置をずらして配置される建具に関する。
【発明の効果】
【００１２】
本発明の建具に適用されるガラス外れ止め部材によれば、火災発生時のガラスの反りに起因する破損を効果的に防止することができる。
【図面の簡単な説明】
【００１３】
【図１】本発明の一実施形態に係る建具を示す正面図である。
【図２】本実施形態の建具の縦断面図である。
【図３】本実施形態の建具の横断面図である。
【図４】本実施形態の建具が備える戸先側縦框に固定されるガラス外れ止め部材を見付方向の吊元側から見た図である。
【図５】本実施形態の建具が備える上框に固定されるガラス外れ止め部材を下側から見た図である。
【図６】本実施形態のガラス外れ止め部材の分解斜視図である。
【図７】本実施形態の建具に適用されるガラス外れ止め部材及びその周囲を示す拡大横断面図である。
【図８】本実施形態の建具に適用されるガラス外れ止め部材及びその周囲を示す拡大縦断面図である。
【図９】変形例のガラス外れ止め部材の保持金具を示す斜視図である。
【図１０】変形例の建具に適用されるガラス外れ止め部材及びその周囲を示す拡大横断面図である。
【図１１】変形例の建具に適用されるガラス外れ止め部材及びその周囲を示す拡大縦断面図である。
【図１２】本発明の一実施形態に係るＦＩＸ窓に適用されるガラス外れ止め部材及びその周囲を示す拡大横断面図である。
【図１３】本発明の一実施形態に係るＦＩＸ窓に適用されるガラス外れ止め部材及びその周囲を示す拡大縦断面図である。
【発明を実施するための形態】
【００１４】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１５】
図１は、本発明の一実施形態に係る建具１を示す正面図である。本実施形態の建具１は、防火仕様の縦辷り窓である。まず、建具１の全体構成について説明する。本実施形態の建具１は、建物開口部に固定される枠体１０と、枠体１０の内側に開閉可能に取り付けられる障子２０と、を備える。
【００１６】
枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。
【００１７】
図２は、本実施形態の建具１の縦断面図である。上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。同様に、下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００１８】
図３は、本実施形態の建具１の横断面図である。吊元側縦枠１３の内部も、見込方向で区画された複数の中空部１３ａ，１３ｂ，１３ｃが形成され、中空部１３ｂには金属製の縦枠芯材１３ｄが配置される。また、吊元側縦枠１３の室外側には見付方向戸先側に延びる延出部１３ｅが形成され、該延出部１３ｅにもクッション材１３ｆが配置される。
【００１９】
戸先側縦枠１４の内部にも、見込方向で区画された複数の中空部１４ａ，１４ｂ，１４ｃが形成され、中空部１４ｂには金属製の縦枠芯材１４ｄが配置される。戸先側縦枠１４の室外側にも見付方向吊元側に延びる延出部１４ｅが形成され、該延出部１４ｅにもクッション材１４ｆが配置される。
【００２０】
図３に示すように、枠体１０の内側の隅（内隅）には枠側コーナー金具４６がそれぞれ配置される（図２において図示省略）。枠側コーナー金具４６は、４隅のそれぞれに配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ及び縦枠芯材１４ｄ）に締結固定される。より具体的には、枠体１０の戸先側上部では、上枠芯材１１ｄと縦枠芯材１４ｄが枠側コーナー金具４６によって連結され、吊元側上部では、上枠芯材１１ｄと縦枠芯材１３ｄが連結される。同様に、戸先側下部では、下枠芯材１２ｄと縦枠芯材１４ｄが枠側コーナー金具４６によって連結され、吊元側下部では、下枠芯材１２ｄと縦枠芯材１３ｄが連結される。
【００２１】
障子２０は、ガラス２５と、ガラス２５を囲うように構成される框体３０と、を含むように構成される。
【００２２】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２３】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。
【００２４】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２５】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２６】
吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも吊元側縦框３３の長手方向に沿って延びている。吊元側縦框３３の室外側には、吊元側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２７】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、吊元側縦枠１３の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００２８】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、吊元側縦框３３及び戸先側縦框３４）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００２９】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。本実施形態では、上アーム部材６１及び下アーム部材６２は、何れも框体３０に対して金属により板状に成形される補強材６５を介して連結される。
【００３０】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。戸先側縦枠１４の内側の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、戸先側縦框３４の戸先側にスライド嵌合された状態でハンドル５５に連結されている。
【００３１】
次に、框体３０の内側の見込面に配置されるガラス外れ止め部材４０について説明する。図１に示すように、框体３０（上框３１、下框３２、吊元側縦框３３及び戸先側縦框３４）の内側の見込面にはガラス外れ止め部材４０が１又は複数配置される。なお、框体３０の内側の見込面とは、框体３０におけるガラス２５に対向する面である。
【００３２】
図４は、本実施形態の建具１が備える戸先側縦框３４に固定されるガラス外れ止め部材４０を見付方向の吊元側から見た図である。なお、図４では、加熱発泡材やセッティングブロックの図示が省略されるとともに、ガラス２５が鎖線で示されている。
【００３３】
図４に示すように、戸先側縦框３４の内側の見込面には、４個のガラス外れ止め部材４０が間隔をあけて配置される（図４参照）。同様に吊元側縦框３３の見込面にも４個のガラス外れ止め部材４０が配置される。以下の説明において吊元側縦框３３又は戸先側縦框３４に配置されるガラス外れ止め部材４０の符号をガラス外れ止め部材４０ａとして説明する。
【００３４】
図５は、本実施形態の建具１が備える上框３１に固定されるガラス外れ止め部材４０を下側から見た図である。なお、図５でも、加熱発泡材やセッティングブロックの図示が省略されるとともに、ガラス２５が鎖線で示されている。
【００３５】
図５に示すように、上框３１の内側の見込面には、中央にガラス外れ止め部材４０が１個配置される（図５参照）。同様に、下框３２の内側の見込面にもガラス外れ止め部材４０が１個配置される。以下の説明において吊元側縦框３３又は戸先側縦框３４に配置されるガラス外れ止め部材４０の符号をガラス外れ止め部材４０ｂとして説明する。
【００３６】
本実施形態では、ガラス外れ止め部材４０ａとガラス外れ止め部材４０ｂは、同じ形状のガラス外れ止め部材４０である。次に、このガラス外れ止め部材４０の構成について説明する。図６は、本実施形態のガラス外れ止め部材４０の分解斜視図である。
【００３７】
図６に示すように、本実施形態のガラス外れ止め部材４０は、框体３０に固定される保持金具４１と、保持金具４１によって保持される押さえ片４２と、を備える。本実施形態では、保持金具４１及び押さえ片４２は、何れも金属製（例えば、ステンレス鋼）である。
【００３８】
保持金具４１は、框体３０との間に隙間を形成する台部４１ａと、台部４１ａの両側（見込方向に直交する）に配置される取付部４１ｂと、を備える。両側の取付部４１ｂのそれぞれには、見込方向に細長い締結孔４１ｃが形成される。この締結孔４１ｃに締結部材としてのネジ４５が締結されることにより、保持金具４１が框体３０に固定される。台部４１ａは、固定された状態で框体３０の見込面との間に隙間を形成する。台部４１ａの室内側の端部には、室内側から室外側に切り欠かれた係合孔４１ｄが形成される。また、台部４１ａの室内側の端部には、ガラス２５側に向かって延出する延出片４１ｅが形成される。延出片４１ｅは、係合孔４１ｄを跨る壁状に形成されており、保持金具４１に係合された状態の押さえ片４２に対向する。
【００３９】
押さえ片４２は、ガラス２５の端部に対向する押さえ部４２ａと、押さえ部４２ａの下部から室内側に延びる係合部４２ｂと、押さえ部４２ａの下部で係合部４２ｂの両側にそれぞれ延びる足部４２ｃと、を備える。押さえ片４２の係合部４２ｂが保持金具４１の係合孔４１ｄに係合することで押さえ片４２が保持金具４１に係合固定される。本実施形態の係合部４２ｂは、その先端がガラス２５側に突出する爪状に形成されており、台部４１ａの裏側を通って爪状の部分が係合孔４１ｄの端面に係合する。
【００４０】
本実施形態では、押さえ片４２は、保持金具４１に係合した状態でも見込方向で若干の移動が可能となっている。保持金具４１と押さえ片４２の係合を解除する場合は、係合部４２ｂの爪状の部分を框体３０側に押し込んで係合を解除し、押さえ片４２を室内外側に移動させる。
【００４１】
框体３０に固定されたガラス外れ止め部材４０の取付状態について説明する。まず、吊元側縦框（縦框）３３に固定されるガラス外れ止め部材４０ａについて説明する。図７は、本実施形態の建具１に適用されるガラス外れ止め部材４０ａ及びその周囲を示す拡大横断面図である。
【００４２】
図７に示すように、ガラス外れ止め部材４０が吊元側縦框３３に固定された状態では、押さえ部４２ａが室外側ガラス２５ａの吊元側端部に室外側で対面した状態となる。ガラス外れ止め部材４０ａは、保持金具４１を框体３０に取り付けた状態で加熱発泡材３８を配置し、ガラス２５を嵌め込んだ状態で押さえ片４２を保持金具４１に係合させる。加熱発泡材３８は、ガラス２５の４周を囲う帯状に形成されており、ガラス外れ止め部材４０に差し掛かる部分では、保持金具４１の台部４１ａのガラス２５側の面に加熱発泡材３８が載った状態となる。加熱発泡材３８は、接着剤、接着テープ等を用いた接着固定やネジ等を用いた締結固定等、適宜の方法で框体３０に固定される。
【００４３】
保持金具４１は、吊元側縦框３３の中空部３３ｂに配置される室外側縦框芯材３３ｅに締結孔４１ｃを通じてネジ４５が締結固定されることにより、吊元側縦框３３の見込面に固定される。上述のように、締結孔４１ｃは、見込方向に長い長孔となっている。従って、吊元側縦框３３及び室外側縦框芯材３３ｅに対する加工位置を変えることなく、保持金具４１の取付位置を見込方向（室内外方向）で調整することが可能となっている。例えば、室外側ガラス２５ａの室外側面から保持金具４１の延出片４１ｅまでの長さを距離ｄ１とすると、距離ｄ１は保持金具４１の取付位置によって変わることになる。押さえ片４２は保持金具４１によって位置が決まるので、ガラス２５と押さえ片４２の位置関係は保持金具４１の取付位置によって調整することができる。
【００４４】
なお、本実施形態では、押さえ片４２は、保持金具４１に係合された状態でも見込方向に若干移動可能となっているが、この移動範囲も保持金具４１の位置によって決まるので、何れにしても保持金具４１の取付位置によってガラス２５とガラス外れ止め部材４０ａの位置関係が調整されることになる。
【００４５】
以上、図７を参照して吊元側縦框３３に固定されるガラス外れ止め部材４０ａについて説明したが、戸先側縦框３４でも同様の構成及び方法でガラス外れ止め部材４０ａが吊元側縦框３３と同様に距離ｄ１の設定で戸先側縦框３４に固定される。
【００４６】
次に、上框（横框）３１に固定されるガラス外れ止め部材４０ｂについて説明する。図８は、本実施形態の建具１に適用されるガラス外れ止め部材４０ｂ及びその周囲を示す拡大縦断面図である。
【００４７】
図８に示すように、ガラス外れ止め部材４０ｂが上框３１に固定された状態では、押さえ部４２ａが室外側ガラス２５ａの上端部に室外側で対面した状態となる。なお、ガラス外れ止め部材４０ｂを上框３１に固定する方法は、吊元側縦框３３に固定する場合と基本的に同様であるが、ガラス２５とガラス外れ部材４０ｂの位置関係は、ガラス２５とガラス外れ部材４０ａの位置関係とは異なるように、保持金具４１が固定される。本実施形態では、縦框（吊元側縦框３３及び戸先側縦框３４）に設定されるガラス２５に対するガラス外れ止め部材４０の位置関係を示す距離ｄ１よりも、上框３１のガラス２５に対するガラス外れ止め部材４０の位置関係を示す距離ｄ２の方が長くなるように設定される。即ち、上框３１のガラス外れ止め部材４０は、縦框（吊元側縦框３３及び戸先側縦框３４）に比べて相対的に隙間が大きくなるようにレイアウトされる。
【００４８】
以上、図８を参照して上框３１に固定されるガラス外れ止め部材４０ｂについて説明したが、下框３２でも同様の構成及び方法でガラス外れ止め部材４０ｂが上框３１と同様に距離ｄ２の設定で下框３２に固定される。
【００４９】
以上説明した上記実施形態の構成によれば、以下のような効果を奏する。
建具１は框体３０を構成する吊元側縦框３３、戸先側縦框３４、上框３１及び下框３２のそれぞれに固定されるガラス外れ止め部材４０を備え、ガラス外れ止め部材４０は、ガラス２５の端部に見込方向一側で対面する押さえ片４２と、押さえ片を保持し、見込方向に長く形成される締結孔４１ｃを通じてネジ（締結部材）４５によって吊元側縦框３３、戸先側縦框３４、上框３１又は下框３２に固定される保持金具（保持部）４１と、を有する。
【００５０】
これにより、加工位置を変えることなく保持金具４１の位置を調整することができる。また、火災発生時に樹脂製の框体３０が溶融してガラス２５が反ろうとしても締結孔４１ｃによって見込方向への押さえ片４２の移動が許容されるので、ガラス２５への応力の集中によるヒビや破損の発生を防止又は効果的に遅らせることができる。
【００５１】
また、本実施形態では、吊元側縦框３３及び戸先側縦框３４に固定されるガラス外れ止め部材ａと上框３１及び下框３２に固定されるガラス外れ止め部材４０ｂが、見込方向で位置をずらして配置される。
【００５２】
これにより、縦と横で異なるガラス２５の反りに応じてガラス外れ止め部材４０ａ，４０ｂの見込方向の位置をずらすことにより、框体３０の溶融時にガラス２５がガラス外れ止め部材４０ａ，４０ｂの応力による破損を効果的に防止できる。
【００５３】
また、本実施形態では、長手方向が長い吊元側縦框３３及び戸先側縦框３４に固定されるガラス外れ止め部材４０ａの押さえ片４２とガラス２５の隙間よりも長手方向が短い上框３１及び下框３２に固定されるガラス外れ止め部材４０ｂの押さえ片４２とガラス２５の隙間の方が大きくなるように、見込方向で位置をずらして保持金具４１が吊元側縦框３３、戸先側縦框３４、上框３１及び下框３２のそれぞれに締結固定される。
【００５４】
これにより、長手方向が長いため反り易くなっているガラス２５を吊元側縦框３３及び戸先側縦框３４のガラス外れ止め部材４０ａによってしっかりと保持しつつ、火災発生時には相対的にガラス２５との間の隙間が大きい上框３１及び下框３２に配置されるガラス外れ止め部材４０ｂによって上下ではガラス２５の反りを許容することで応力の集中を防ぎ、ガラス２５の破損をより一層防止できる。
【００５５】
上記実施形態の変形例について説明する。なお、以下の説明において上記実施形態と共通又は同様の構成については同じ符号を付してその説明を省略する場合がある。
【００５６】
図９は、変形例のガラス外れ止め部材２４０の保持金具２４１を示す斜視図である。図９に示すように、保持金具２４１は、框体３０との間に隙間を形成する台部２４１ａと、台部２４１ａの両側に配置される取付部２４１ｂと、を備える。両側の取付部２４１ｂのそれぞれには、見込方向に細長い締結孔２４１ｃが形成される。この締結孔２４１ｃに締結部材としてのネジ４５が締結されることにより、保持金具２４１が框体３０に固定される。台部２４１ａは、固定された状態で框体３０の見込面との間に隙間を形成する。台部２４１ａの室内側の端部には、室内側から室外側に切り欠かれた係合孔２４１ｄが形成される。
【００５７】
図１０は、変形例の建具１に適用されるガラス外れ止め部材２４０ａ及びその周囲を示す拡大横断面図である。図１１は、変形例の建具に適用されるガラス外れ止め部材２４０ｂ及びその周囲を示す拡大縦断面図である。なお、図１０及び図１１に示す建具１は、ガラス外れ止め部材４０に関する構成以外は、上記実施形態と同様の構成である。
【００５８】
図１０及び図１１に示すように、ガラス外れ止め部材２４０ａ，２４０ｂは、何れもＬ字状のプレート部材２４６を框体３０（上框３１、下框３２、吊元側縦框３３又は戸先側縦框３４）の見込面に配置し、このＬ字状のプレート部材２４６を介した状態で保持金具２４１がネジ４５によって框体３０に締結固定される。
【００５９】
図１０に示すように、吊元側縦框３３の見込面に固定された保持金具２４の係合孔２４１ｄに押さえ片２４２が係合される。変形例の押さえ片２４２は、上記実施形態と同様の構成である。保持金具２４１は、上記実施形態の構成に比べて見込方向に直交する長手方向が長い形状となっており、押さえ片２４２も見込方向に直交する方向が長いものが用いられる。室外側ガラス２５ａの室外側面から保持金具２４１の室内側端部までの長さを距離ｄ３とすると、距離ｄ３は保持金具２４１の取付位置によって変わる。押さえ片２４２は保持金具２４１によって位置が決まるので、ガラス２５と押さえ片２４２の位置関係は保持金具２４１の取付位置によって調整することができる。戸先側縦框３４に固定されるガラス外れ止め部材２４０ａも同様の方法で取付位置が設定される。
【００６０】
図１１に示すように、上框３１の見込面に固定された保持金具２４の係合孔２４１ｄに押さえ片２４２が係合される。室外側ガラス２５ａの室外側面から保持金具２４１の室内側端部までの長さを距離ｄ４とすると、距離ｄ４も保持金具２４１の取付位置によって変わる。下框３２に固定されるガラス外れ止め部材２４０ａも同様の方法で取付位置が設定される。
【００６１】
以上説明した本変形例においても、締結孔２４１ｃにより保持金具２４１の取付位置を見込方向で調整することができる。例えば、上記実施形態同様に距離ｄ３に対して距離ｄ４が長くなるようにガラス外れ止め部材２４０の取付位置を設定することができる。即ち、本変形例においても上記実施形態と同様の効果を奏する。
【００６２】
上記実施形態及び変形例では、開閉可能な障子を備える建具として縦辷り窓を例に説明したが、横辷り窓や引違い窓のような開閉可能な障子を備える建具にも本発明を適用できる。また、ＦＩＸ窓のような框体の内側に窓を固定する建具に本発明を適用することができる。
【００６３】
次に、図１２及び図１３を参照して上記変形例のガラス外れ止め部材２４０をＦＩＸ窓に適用した例について説明する。図１２は、本発明の一実施形態に係るＦＩＸ窓２０１に適用されるガラス外れ止め部材２４０及びその周囲を示す拡大横断面図である。図１３は、本発明の一実施形態に係るＦＩＸ窓２０１に適用されるガラス外れ止め部材２４０及びその周囲を示す拡大縦断面図である。
【００６４】
なお、図１２及び図１３に示すＦＩＸ窓２０１は、上述の縦辷り窓の枠体１０と基本構造が同じものを框体とし、この枠体１０の内側にガラス２５を固定したものである。以下の説明では、吊元側縦枠１３を左右一側の縦枠１３とし、戸先側縦枠１４を左右他側の縦枠１４として説明する。
【００６５】
枠体１０の室外側には、ガラス２５を押さえる樹脂製の押し縁部材１２７が嵌合固定される。また、枠体１０の室内側の見付面には、ガラス止め部材１２８が配置される。ガラス止め部材１２８は、見込方向でガラス２５を挟んで押し縁部材１２７の反対側に位置する。例えば、図１２では、左右一側に配置される縦枠１３に押し縁部材１２７及びガラス止め部材１２８が設けられる構成が示され、図１３では、下枠１２に押し縁部材１２７及びガラス止め部材１２８が設けられる構成が示される。
【００６６】
本変形例のＦＩＸ窓２０１は、枠体（框体）１０を構成する縦枠（縦框）１３，１４及び上枠（上框）１１、下枠（下框）１２のそれぞれに固定されるガラス外れ止め部材２４０を備え、ガラス外れ止め部材２４０は、ガラス２５の端部に見込方向一側で対面する押さえ片２４２と、押さえ片２４２を保持し、見込方向に長く形成される締結孔２４１ｃを通じてネジ４５によって縦枠１３，１４、上枠１１又は下枠１２に固定される保持金具２４１と、を有する。
【００６７】
本変形例のＦＩＸ窓２０１によっても、見込方向に長く形成される締結孔２４１ｃによって火災発生時に応力が集中してガラス２５が破損する事態の発生を防止できる。即ち、上記実施形態や変形例と同様の効果を奏する。
【００６８】
このように、上記実施形態や変形例の構成に制限されるわけではなく、框体及びガラスを備える種々の建具に本発明を適用できる。また、ガラス外れ止め部材の構成も適宜変更することができる。例えば、室内外の両方に押さえ片を有する構成や室内側にのみ押さえ片を有する構成とすることも場合によっては可能である。
【００６９】
上記実施形態では、長孔として形成される締結孔４１ｃ，２４１ｃを利用して保持金具４１，２４１の取付位置を見込方向でずらす例を説明したが、この構成に限定されない。例えば、上記実施形態の保持金具４１，２４１の締結孔４１ｃ，２４１ｃを長孔から丸孔に変更し、上框３１及び下框３２に対する保持金具４１のネジの締結位置と、吊元側縦框３３及び戸先側縦框３４に対する保持金具４１のネジの締結位置と、を見込方向でずらすことにより、ガラス２５に対する押さえ片４２の位置を調整する構成としてもよい。このように、框体３０に対する締結箇所が見込方向で異なるものの、吊元側縦框３３及び戸先側縦框３４に固定されるガラス外れ止め部材４０と、横框である上框３１又は下框３２に固定されるガラス外れ止め部材４０と、が見込方向で位置をずらして配置される建具を上記実施形態とは異なる方法で実現することもできる。
【００７０】
また、上記実施形態で説明した上框３１、下框３２、吊元側縦框３３及び戸先側縦框３４の構成に限られず、框体の構成は適宜変更することができる。例えば、框体（上框、下框、吊元側縦框及び戸先側縦框）の見込方向室内側及び室外側の何れか一側又は両方にアルミ形材等の金属製のカバー部材を配置する構成としてもよい。
【符号の説明】
【００７１】
１  建具
１０  枠体（框体）
２５  ガラス
３０  框体
３１  上框（横框）
３２  下框（横框）
３３  吊元側縦框（縦框）
３４  戸先側縦框（縦框）
４０，２４０  ガラス外れ止め部材
４１，２４１  保持金具（保持部）
４１ｃ，２４１ｃ  締結孔
４２，２４２  押さえ片
４５  ネジ（締結部材）
２０１  ＦＩＸ窓（建具）
【図１】
2019065553.tif 000003
【図２】
2019065553.tif 000004
【図３】
2019065553.tif 000005
【図４】
2019065553.tif 000006
【図５】
2019065553.tif 000007
【図６】
2019065553.tif 000008
【図７】
2019065553.tif 000009
【図８】
2019065553.tif 000010
【図９】
2019065553.tif 000011
【図１０】
2019065553.tif 000012
【図１１】
2019065553.tif 000013
【図１２】
2019065553.tif 000014
【図１３】
2019065553.tif 000015